(57)【要約】【課題】眼鏡レンズくもり止め機能の優れたマスクを提供する。【解決手段】マスクの本体部１０の、上縁の、中央の両側においてそれぞれその中央より上方に延び出し、鼻とその鼻の両側に位置する両頬との間において鼻に沿って延びる鼻脇のくぼみを塞ぐ一対の突出片４４を設ける。この突出片４４を眼鏡５０のパッド５２に鼻脇のくぼみの底面に押し付けさせることにより、くぼみを塞ぎ、レンズ５４のくもりを防止する。突出片をパッド５２には届かない突出量のものとする代わりに、厚さの厚いものとし、眼鏡の枠あるいはレンズの縁で押さえさせてもよく、突出片自体を比較的腰の強いものとし、自身の弾性で鼻脇のくぼみの底面に密着するものとしたり、眼鏡に取り付けた押付部材により突出片を鼻脇のくぼみの底面に押し付けさせたりしてもよい。【選択図】図３
2008279101.tif 000002
【特許請求の範囲】
【請求項１】
通気性を有する材料から成り、口と鼻とを覆う本体部と、その本体部の両側部から延び出して耳に掛けられる耳掛部とを含むマスクであって、
前記本体部が、その本体部の上縁の、中央の両側においてそれぞれその中央より上方に延び出し、前記鼻とその鼻の両側に位置する両頬との間において鼻に沿って延びるくぼみを塞ぐ一対の突出片を備えたことを特徴とするマスク。
【請求項２】
当該マスクが眼鏡を掛けた人用であり、前記一対の突出片の前記上端部がそれぞれ眼鏡のパッドと重なり合い、そのパッドにより前記くぼみの底面に押し付けられる請求項１に記載のマスク。
【請求項３】
当該マスクが眼鏡を掛けた人用であり、前記一対の突出片の少なくとも一部にそれぞれ、前記眼鏡のレンズを囲む枠またはレンズの縁と接触することによりそれら枠あるいは縁により押さえられ、前記一対の突出片の各々を前記くぼみの底面に押し付ける押付部が設けられた請求項１に記載のマスク。
【請求項４】
少なくとも前記一対の突出片に設けられ、それら一対の突出片の剛性を前記本体部の他の部分より大きくする剛性付与部を含む請求項１ないし３のいずれかに記載のマスク。
【請求項５】
当該マスクが眼鏡を掛けた人用であり、その眼鏡に装着され、前記一対の突出片をそれぞれ前記くぼみの底面に押し付ける押付部材を含む請求項１または４に記載のマスク。
【発明の詳細な説明】
【技術分野】
【０００１】
本発明は、花粉，ほこり等の吸引防止、風邪の感染防止等の目的で使用されるマスクに関するものであり、特に、眼鏡のくもり止め機能を有するマスクに関するものである。
【背景技術】
【０００２】
眼鏡のくもり止め機能を有するマスクは、下記特許文献をはじめとして、多数の特許文献において種々提案されている。しかし、くもり止め効果と製造コストとの両方において満足すべきものが得られているとは言い難い。
【特許文献１】特開２００１−１６１８４３
【特許文献２】特開２００６−２８８６５０
【特許文献３】特開２００６−３０５２７８
【特許文献４】特開２００６−３３３９７２
【特許文献５】特開２００７−６１５８５
【発明の開示】
【発明が解決しようとする課題】
【０００３】
本発明は、十分な眼鏡のくもり止め効果が得られ、かつ、安価に製造し得るマスクを得ることを課題としてなされたものである。
【課題を解決するための手段】
【０００４】
本発明は、上記課題を解決するために、通気性を有する材料から成り、口と鼻とを覆う本体部と、その本体部の両側部から延び出して耳に掛けられる耳掛部とを含むマスクにおいて、前記本体部を、その本体部の上縁の、中央の両側においてそれぞれその中央より上方に延び出し、前記鼻とその鼻の両側に位置する両頬との間において鼻に沿って延びるくぼみを塞ぐ一対の突出片を備えたものとしたことを特徴とする。
【発明の効果】
【０００５】
上記「鼻とその鼻の両側に位置する両頬との間において鼻に沿って延びるくぼみ」を「鼻脇のくぼみ」と称することとするが、通常のマスクを掛けた状態では、マスクの本体部の上縁と鼻脇のくぼみの底面との間に隙間が生じることを避け得ない。したがって、その隙間から呼気の一部が眼鏡に向かって流れ、レンズに接触し、呼気中の水蒸気がレンズをくもらせることとなる。
それに対し、マスク本体部の上縁の、中央の両側においてそれぞれその中央より上方に延び出す一対の突出片を形成すれば、その突出片が鼻脇のくぼみの底面に接触し、そのくぼみを閉塞するため、従来のマスクに比較して、鼻脇のくぼみを通って呼気が流れることを良好に防止することができる。しかも、一対の突出片を形成することは容易であり、マスクの製造コストを増大させることがきわめて少なくて済む。
【発明の態様】
【０００６】
以下に、本願において特許請求が可能と認識されている発明（以下、「請求可能発明」という場合がある。請求可能発明は、少なくとも、請求の範囲に記載された発明である「本発明」ないし「本願発明」を含むが、本願発明の下位概念発明や、本願発明の上位概念あるいは別概念の発明を含むこともある。）の態様をいくつか例示し、それらについて説明する。各態様は請求項と同様に、項に区分し、各項に番号を付し、必要に応じて他の項の番号を引用する形式で記載する。これは、あくまでも請求可能発明の理解を容易にするためであり、請求可能発明を構成する構成要素の組み合わせを、以下の各項に記載されたものに限定する趣旨ではない。つまり、請求可能発明は、各項に付随する記載，実施例の記載等を参酌して解釈されるべきであり、その解釈に従う限りにおいて、各項の態様にさらに他の構成要素を付加した態様も、また、各項の態様から構成要素を削除した態様も、請求可能発明の一態様となり得るのである。
【０００７】
なお、以下の各項において、（１）項が請求項１に相当し、（３）項が請求項２に、（４）項が請求項３に、（９）項が請求項４に、（１３）項が請求項５に、それぞれ相当する。
【０００８】
（１）通気性を有する材料から成り、口と鼻とを覆う本体部と、その本体部の両側部から延び出して耳に掛けられる耳掛部とを含むマスクであって、
前記本体部が、その本体部の上縁の、中央の両側においてそれぞれその中央より上方に延び出し、前記鼻とその鼻の両側に位置する両頬との間において鼻に沿って延びるくぼみを塞ぐ一対の突出片を備えたことを特徴とするマスク。
本体部の上縁の中央には一対の突出片に挟まれた凹部が形成されることとなるが、この凹部の形状は、凹部の縁を形成する突部の側縁を鼻の側面に密着し易くする上で、Ｖ字形あるいはＶ字の底部に丸味を付けた形状とすることが望ましい。
上記通気性を有する材料としては、不織布，織布等が採用でき、織布としてはガーゼが適している。
（２）当該マスクが眼鏡を掛けた人用であり、前記一対の突出片の各上端部が、正面視において前記眼鏡の一部と重なり合う(1)項に記載のマスク。
突出片の前記上縁の中央に対する突出量は、突出片の形状，剛性，厚み等に応じて変えられるべきであるが、一般に、鼻脇のくぼみを塞ぐ機能を高める上では３ｍｍ以上，５ｍｍ以上，７ｍｍ以上，１０ｍｍ以上とされることが望ましい。
一対の突出片を、鼻脇のくぼみを塞ぐに十分なものとしようとすれば、突出片の突出量を大きくすることが必要になり、正面視において眼鏡の一部と重なり合うことが多くなる。通常であれば、マスクの本体部が眼鏡の内側に入り込めば、水蒸気が一層レンズに導かれ易くなり、レンズがくもり易くなるのであるが、本マスクにおいては、一対の突出片は鼻脇のくぼみを塞ぐものであるため、眼鏡と重なりあってもレンズを曇らせることがないか、少なくとも曇らせることが少なくて済む。
（３）前記一対の突出片の前記上端部がそれぞれ眼鏡のパッドと重なり合い、そのパッドにより前記くぼみの底面に押し付けられる(2)項に記載のマスク。
眼鏡のパッドに一対の突出片の上端部を鼻脇のくぼみの底面に押し付けさせれば、鼻脇のくぼみを特に良好に塞ぐことができる。眼鏡には必ずパッドが設けられているため、眼鏡の種類を問わず、くもりを良好に防止し得る。
（４）前記一対の突出片の少なくとも一部にそれぞれ、前記眼鏡のレンズを囲む枠またはレンズの縁と接触することによりそれら枠あるいは縁により押さえられ、前記一対の突出片の各々を前記くぼみの底面に押し付ける押付部が設けられた(2)項に記載のマスク。
眼鏡の枠またはレンズの縁に押付部を押さえさせることにより、押付部に突出片を鼻脇のくぼみの底面に押し付けさせれば、眼鏡の種類を問わず、鼻脇のくぼみを良好に塞ぐことができる。
（５）前記押付部がクッション材により形成された部分を含む(4)項に記載のマスク。
クッション材は(4)項以外の態様のマスクにも適用可能であり、その場合には(4)項の押付部を構成するクッション材より薄くされることが望ましいことが多い。
（６）前記クッション材が、軟質ウレタンフォーム，ポリスチレンフォームおよびわたから選ばれた材料から成る(5)項に記載のマスク。
フォームは比較的柔軟性の高いもの、すなわち単位長さ当たりのセル数が比較的小さいもの（例えば２５〜３０／２５ｍｍの衣料用軟質ウレタンフォーム、ＪＩＳ  Ｋ６４０２−１９７６  ＱＥ相当のもの）あるいは密度の比較的小さいもの（例えば０．０１０以上０．０１４未満のポリスチレンフォーム包装用緩衝材、ＪＩＳ  Ｚ  １５３６−１９７５の５号相当のもの）が望ましい。フォームは、多数の気泡が互いに独立したものでも、互いに連通したものでもよいが、押付部も適度の通気性を有することが望ましく、その観点からは後者が好適である。また、わたは、天然繊維のわたでもよく、化学繊維のわたでもよい。わたを構成する繊維同士が単純に絡み合わされているものでも、局部的に結合されているものでもよい。後者は、クッション材の形状を安定に保つ上で優れている。
（７）前記クッション材がそのクッション材より肌理の細かな表皮により覆われた(5)項または(6)項に記載のマスク。
クッション材、特に柔らかなクッション材は表面が平滑ではないことが多く、見映えあるいは使い勝手が悪い。本項の構成を採用すれば、柔らかいクッション材のこの欠点を軽減することができる。本体部が複数枚のシートが重ね合わされたものである場合、最も外側のシートの一部を表皮とすることもできる。表皮は、微小な穴を多数有するものとすることも、穴を有しないものとすることも可能である。押付部も適度の通気性を有することが望ましく、その観点からは前者が好適である。
（８）前記表皮が前記本体部と同じ色を有する(7)項に記載のマスク。
押付部が本体と同じ色となり、見映えが向上する。肌理も本体部と同じにすれば、一層見映えがよくなる。
（９）少なくとも前記一対の突出片に設けられ、それら一対の突出片の剛性を前記本体部の他の部分より大きくする剛性付与部を含む(1)項ないし(8)項のいずれかに記載のマスク。
剛性付与部を設けて一対の突出片を比較的剛性の高いものとすれば、突出片を眼鏡の一部に押させさせなくても、突出片自体の腰により、鼻脇のくぼみの底面に密着させることができる。
本項の特徴は、(2)項ないし(8)項の特徴とは別個に採用し得、その場合に、眼鏡との接触が不可欠ではなくなる利点があるが、(2)項ないし(8)項の特徴と併用すれば眼鏡のくもりを一層確実に防止することができる。
（１０）前記剛性付与部が、前記突出片と、前記本体部の前記突出片の基端に隣接する隣接部とに跨る領域に配設された(9)項の記載のマスク。
マスクの中には、使用中、本体部の形状が３次元の立体的な形状を保つものとされるものがあり、この種のマスクに本項の特徴を適用すれば、突出片を本体部の立体形状の延長方向に延びる状態とすることにより、良好に鼻脇のくぼみに押し付けることが可能となる。
（１１）前記本体部が複数枚のシート材が合わされて構成され、前記剛性付与部がそれら複数枚のシート材の間に挟まれた剛性付与層を含む(9)項または(10)項に記載のマスク。
剛性付与層は、例えば、複数枚のシートとは別体の弾性シート（剛性付与シート）でもよく、複数枚のシートの少なくとも１枚に固着された剛性付与層でもよい。複数枚のシートの互いに対向する面同士を接着する接着層や複数のシートを互いに溶着することにより剛性が増された溶着部でもよい。これら弾性シート，剛性付与層，接着層，溶着部等は、突出片を鼻脇のくぼみの底面に密着させるには十分な大きさであり、マスクを装着している人に違和感を抱かせるほどには大きくない適度な弾性を有するものであることが望ましい。また、押付部も適度の通気性を有することが望ましく、その観点から、剛性付与部も通気性を有するものとすることが望ましい。
（１２）前記剛性付与部が前記突出片の表面に固着された剛性付与層を含む(9)項または(10)項に記載のマスク。
剛性付与層は通気性を低下させる場合が多いため、突出片の表面側に形成し、使用者の肌に直接接触しないようにすることが望ましい場合が多い。(11)項における剛性付与層に関する説明が本項における剛性付与層にも当てはまる。
（１３）前記眼鏡に装着され、前記一対の突出片をそれぞれ前記くぼみの底面に押し付ける押付部材を含む(1)項，(2)項，(9)項ないし(12)項のいずれかに記載のマスク。
押付部材は、金属，硬質樹脂等、硬質の弾性材料から成るものとしても、軟質樹脂から成るものとしてよい。ただし、いずれにしても、適度の弾性を有して、眼鏡の種類やマスク使用者の顔形等によって変わる押付部材装着部とマスクの突出片との相対位置のばらつきを吸収し得るものとされることが望ましい。また、押付部材を、互いに異なる材料により形成される複数の部分を備えたものとすることも可能である。例えば、押付部材の眼鏡への取付部は比較的大きな剛性および弾性変形能を有する材料により形成し、押付部は適度な弾性を有する材料により形成し、他の一部を比較的容易に塑性変形させ得る材料により形成し、その塑性変形容易部の塑性変形により、押付部材を、使用者が眼鏡の形状やマスク装着者の顔形に合った形状として、使用し得るものとするのである。
本押付部材は、(1)項におけるように、マスク本体の上縁から突出した１対の突出片を備えたマスクと組み合わせて使用する場合に特に有効である。しかし、突出片がなく上縁がほぼ水平な本体部や、中央が最も高く、側方に向かうに従って低くなる向きに傾斜した本体部を備えたマスクと組み合わせて使用しても、眼鏡レンズのくもり止め効果が得られる。本項の特徴は、(1)項の特徴とは別個に採用することも可能なのである。
（１４）前記押付部材が前記眼鏡に着脱可能である(13)項に記載のマスク。
押付部材は眼鏡に取り外し不能に取り付けられるものとすることも可能である。しかし、着脱可能とされることが望ましい。後者の場合、押付部材自体が眼鏡の一部に着脱されるようにしても、眼鏡に押付部材保持部材を恒久的に固着し、その押付部材保持部材に押付部材を着脱し得るようにしてもよい。
（１５）前記押付部材が、前記眼鏡の左右のレンズ枠またはレンズを連結するブリッジと、そのブリッジの上方において左右のレンズ枠またはレンズを連結するプレースバーとの少なくとも一方を利用して眼鏡に取り付けられる(13)項または(14)項に記載のマスク。
眼鏡は必ずブリッジを有し、ブリッジと共にプレースバーを有するものもある。したがって、これらブリッジあるいはプレースバーを利用して押付部材を眼鏡に取り付け得るようにすることが便利である。
（１６）前記押付部材が、前記眼鏡のメタルフレームのパッド足とパッド箱との少なくとも一方を利用して装着される(13)項ないし(15)項のいずれかに記載のマスク。
眼鏡がメタルフレームを有するものである場合には、フレームにパッドを取り付けるためのパッド足およびパッド箱が設けられるのが普通であり、これらパッド足とパッド箱との少なくとも一方を利用して押付部材が着脱されるようにすることが便利である。本項が(15)項に従属する場合は、押付部材がブリッジとプレースバーとの少なくとも一方と、パッド足とパッド箱との少なくとも一方との両方を利用して装着することとなり、特に安定して装着することができる。
【実施例】
【０００９】
以下、請求可能発明のいくつかの実施例を、図を参照しつつ詳しく説明する。なお、請求可能発明は、下記実施例の他、上記〔発明の態様〕の項に記載された態様を始めとして、当業者の知識に基づいて種々の変更を施した態様で実施することができる。
【００１０】
図１ないし図３に、請求可能発明の一実施例としてのマスクを示す。本マスクは、着用者の口，鼻およびそれらの周辺を覆う本体部１０と、その本体部１０の両側部から延び出して耳に掛けられる耳掛部１２とを含む。本体部１０は、左構成部１４と右構成部１６とから成り、左構成部１４は図２に示す形状の熱可塑性合成繊維から成る不織布が複数枚（図示の例で３枚）重ねられたものであり、右構成部１６は左構成部１４と面対称の構成を有している。耳掛け部１２も左構成部２２と右構成部２４とから成り、左構成部２２は、図２に示すように、基部２６と紐部２８とから成っている。基部２６は、本体部１０を構成する複数枚の不織布の一部のものが側方へ延び出させられるとともに、二股に分かれさせられたものであり、本体部１０を構成する他の不織布と溶着部３０において溶着されている。また、紐部２８は、熱可塑性合成樹脂材料により伸縮性の良い紐状に形成され、両端部３２が、基部２６の二股部の各先端部に溶着により結合されている。紐部２８は基部２６より弾性変形能に優れている。右構成部２４は左構成部２２と、面対称の構成を有している。
【００１１】
本体部１０においては、左構成部１４と右構成部１６とが、図２において外方に凸の湾曲部３４、および上部ほど後方に位置する向きに傾斜した第１傾斜部３６において互いに溶着により結合され、左右に開かれて装着される状態では図２に示すように中高の３次元形状を呈するようにされている。しかし、第１傾斜部３６より更に後方への傾斜角度が大きい第２傾斜部３８においては、左構成部１４と右構成部１６が結合されていない。そのため、本体部１０が左右に開かれた状態では、図３に示すように、上縁の中央にＶ字形の凹部４２に形成される。また、左構成部１４と右構成部１６との上縁は、左右の端から中央に向かうに従って加速度的に上方に向かうように湾曲、すなわち下に凸に湾曲させられた後、湾曲の向きが上に凸に変化させられ、上記第２傾斜部３８に滑らかにつながらされている。その結果、本体部１０が左右に開かれた状態では、上記Ｖ字形の凹部４２の両側に、上方に突出し、上端が丸められた１対の突部４４が形成された状態となる。両突部４４の、本体部１０の上縁からの突出量、すなわち、凹部４２の最下部から突部４４の最上部までの距離は１２ｍｍとされている。
【００１２】
上記一対の突出片４４の上端部は、図３に示すように、本マスクの装着者が眼鏡５０を掛けた場合に、装着者を正面から見た正面視においてその眼鏡５０のパッド５２と重なり合う位置にある。そのため、突出片４４はパッド５２により鼻脇のくぼみの底面に押し付けられることとなり、左右の鼻脇のくぼみが一対の突出片４４により塞がれる。したがって、マスク装着者の呼気が鼻脇のくぼみを流れて、眼鏡５０のレンズ５４に接触することが良好に回避され、十分なレンズ５４のくもり止め効果が得られる。
【００１３】
別の実施例であるマスクを図４および図５に示す。本マスクは、上記実施例のマスクと、本体部１０から上方に突出させられた突出片６２の構成において異なる。すなわち、突出片６２は、前記突出片４４より突出量が小さく（約７ｍｍ）されるとともに、上端部の丸味の曲率半径が大きくされた形状を有し、装着者を正面から見た正面視において、眼鏡５０のパッド５２とは重なり合わないが、眼鏡５０の枠５６（枠５６を有しない眼鏡においてはレンズ５４）の一部と重なり合う形状，寸法で形成されている。枠５６の下部の、鼻寄りの隅部が突出片６２と重なり合うようにされているのである。
【００１４】
上記突出片６２には押付部６４が設けられている。押付部６４は、図５に示すように、クッション材６６が表皮６８により覆われて形成されている。クッション６６材は、軟質ウレタンフォームから成る突出片６２とほぼ同じ形状，寸法の平板状部材である。突出片６２は本体部１０の突出片６２以外の部分と同様に３枚の不織布から構成されているが、図５に示すように、それら３枚の不織布のうち、最も表面側の１枚と、内側の２枚との間に上記クッション材６６が挟まれ、接着により突出片６２に固定されている。すなわち、最も表面側の不織布の一部が表皮６８として利用されているのである。
【００１５】
本マスクの装着者が眼鏡５０を掛ければ、図４に示すように、押付部６４が眼鏡５０の枠５６およびレンズ５４の一部と重なり合う状態となり、その一部により押されて、突出片６２を鼻脇のくぼみ５８の底面に押し付ける。それにより、鼻脇のくぼみ５８が突出片６２により塞がれた状態となり、マスク装着者の呼気が鼻脇のくぼみ５８を流れて、眼鏡５０のレンズ５４をくもらせることが良好に防止される。
【００１６】
上記平板状のクッション材６６に代えて、図６に示すように、横断面形状がＴ字形を成すクッション材６８を採用することも可能である。このクッション材６８は、Ｔ字の脚部の下端に相当する部分７０で眼鏡５０の枠５６またはレンズ５４に接触するため、弾性変形が容易であるとともに、Ｔ字の両腕部に相当する部分７２で広く突出片６２を鼻脇のくぼみ５８の底面に押し付けることとなるため、鼻脇のくぼみ５８を良好に塞ぐことができる。なお、Ｔ字の脚部の下端に相当する部分７０は、上下方向に長く延びる状態で形成され、眼鏡５０の枠５６またはレンズ５４と確実に接触するようにされることが望ましい。また、クッション材６８は、突出片６２の表面に軟質ウレタンフォームまたはポリスチレンフォームにより形成され、本体部１０と同色で、光沢がなく、通気性を有する表皮で覆われることが望ましい。
【００１７】
別の実施例であるマスクを図７ないし図９に示す。本マスクは、前記図４および図５に示したマスクのクッション材６６の代わりに、弾性板８２を、突出片６２を構成している３枚の不織布のうち、最も表面側の１枚と、内側の２枚との間に挟み、接着により固定したものである。弾性板８２は、正面視において楕円形状を成す一方、側面視において円弧状に湾曲した形状を有し、図９に示すように、全体に多数の小孔８４が形成されている。材質は特に限定されないが、例えば、透明な硬質合成樹脂の薄板を打ち抜くとともに、円弧状に湾曲させて製造することができる。
【００１８】
上記弾性板８２は、本体部１０の突出片６２に隣接する部分と、突出片６２とに跨って配置され、上記隣接部により方向が定められるため、突出片６２を図８に二点鎖線で示すように、鼻脇のくぼみの底面に向かって湾曲した状態に保つ。そして、本マスクが装着されると、図８に実線で示すように、突出片６２の先端部が鼻脇のくぼみの底面により、曲率半径が大きくなる向きに押し戻された状態となり、その際に発生する復元力により突出片６２を鼻脇のくぼみの底面に押し付けることとなる。したがって、突出片６２が眼鏡５０のどこにも接触しなくても、鼻脇のくぼみが良好に塞がれる。なお、突出片６２の縁部が弾性板８２の縁から２ｍｍ，３ｍｍあるいは５ｍｍ以上突出した状態とされており、そのため比較的広い面で鼻脇のくぼみの底面に密着し、鼻脇のくぼみを良好に塞ぐ。
【００１９】
別の実施例であるマスクを図１０ないし図１２に示す。本マスクは、前記図５のマスクより一層高さの低い（約５ｍｍ）突出片８８を有するものであり、かつ、マスクとは別体に製造され、眼鏡５０に着脱可能に装着される押付部材９０を補助部材として備え、この押付部材９０がマスクの一対の突出片８８を鼻脇のくぼみの底面に押し付ける。押付部材９０は、図１１および図１２に示すように、概して、左右一対の押付部９４が連結部９６により連結された形状を有している。連結部９６には、眼鏡５０のブリッジ９８に係合させられる取付部１００が設けられている。取付部１００は、図１２に示すように、横断面形状がＣ字形を成しており、Ｃ字の開口部１０２が上方からブリッジ９８に押し付けられることにより、スナップアクションでブリッジ９８に係合させられる。一対の押付部９４の連結部９６に隣接する部分は、横断面形状が円形の脚部１０４とされており、この脚部１０４が眼鏡５０のパッド足１０６（パッド足１０６の詳細については図１３ないし図１５参照）に、鼻の側（中央側）から係合させられる。脚部１０４のパッド足１０６に係合する部分の自由状態における間隔は、パッド足１０６の間隔より広くされており、装着された状態では連結部９６と脚部１０４とがパッド足１０６により、脚部１０４の間隔が狭くなる向きに弾性変形させられ、その弾性変形の復元力により脚部１０４がパッド足１０６に係合させられる。この状態では、押付部材９０は、ブリッジ９８と、一対のパッド足１０６とにより、３箇所において安定して保持され、図１０に示すように、押付部９４がマスクの突出片８８を鼻脇のくぼみの底面に押し付け、そのくぼみを塞がせる。押付部材９０は、透明な合成樹脂材料により、一体に成形されることが望ましい。
【００２０】
押付部材は上記実施例のものに限られるわけではない。例えば、上記押付部材９０は一対の押付部９４が連結部９６により連結されて一体のものとされているが、図１３ないし図１６左側の押付部材１１０を代表的に示すように、それぞれ１つずつの押付部１１２を備えて互いに独立した２つの押付部材１１０とすることも可能である。押付部材１１０は、図１６に示す横断面形状を有する本体部１１４と、その本体部１１４の上面の一端部から上方に突出した第１係合部１１６と、一側面から側方へ突出した第２係合部１１８と、その第２係合部１１８と本体部１１４との側面から側方へ突出させられた後、下方へ垂下させられた第３係合部１２０と、その第３係合部の下端からさらに下方へ延び出させられた前記押付部１１２とを備えている。第２係合部１１８は、図１６に最も明瞭に表されているように、Ｃ字形の横断面形状を有し、パッド足１０６の、パッド箱１２２が固定される側の端部１２４とスナップアクションにより係合させられる。その状態で、第１係合部１１６が、図１３に示すように、平面視の形状が互いに逆向きに湾曲する２つの湾曲部を備えてＳ字状をなすパッド足１０６の一方の湾曲部１２６に係合する一方、第３係合部１２０がパッド箱１２２に係合する。結局、押付部材１１０は、第１，第２係合部１１６，１１８においてパッド足１０６と係合するとともに、第３係合部１２０においてパッド箱１２２と係合し、３箇所において、眼鏡５０に安定して保持されることとなる。
なお、図示の例では、第３係合部１２０が帯板状とされて、パッド箱１２２の一側面に安定して係合するようにされている。しかし、横断面形状を円形とすることも可能であり、逆に横断面形状をコの字形とするなどにより、積極的にパッド箱１２２を保持する形状としてもよい。
【００２１】
また、前記押付部材９０は、一対の脚部１０４の間隔が弾性的に狭められた状態で中央側（鼻側）から一対のパッド足１０６に係合させられ、装着されるのであるが、眼鏡が、プラスチック枠のようにパッド足がなく、パッドが枠と一体に形成されるものである場合には、一対の脚部１０４の間隔が弾性的に拡げられた状態で、側方から一対のパッドに係合させられるようにされることが望ましい。
【図面の簡単な説明】
【００２２】
【図１】本願の請求可能発明の一実施例であるマスクが装着された場合の形状を示す斜視図である。
【図２】図１に示すマスクの側面図である。
【図３】図１に示すマスクが装着された状態を示す正面図である。
【図４】別の実施例であるマスクが装着された状態を示す正面図である。
【図５】図４における５−５断面端面図である。
【図６】さらに別の実施例であるマスクの図５に相当する図である。
【図７】さらに別の実施例であるマスクが装着された状態を示す正面図である。
【図８】図７における８−８断面端面図である。
【図９】図７に示すマスクの一構成要素を取り出して示す正面図である。
【図１０】さらに別の実施例であるマスクが装着された状態を示す正面図である。
【図１１】図１０に示すマスクの補助部材を示す背面図である。
【図１２】図１１における補助部材を右方から見た側面図である。
【図１３】さらに別の実施例であるマスクの補助部材たる押付部材が、眼鏡に装着された状態を示す平面図である。
【図１４】図１３に示す部分の背面図である。
【図１５】図１３に示す部分の側面図である。
【図１６】図１３における１６−１６断面図である。
【符号の説明】
【００２３】
１０：本体部    １２：耳掛け部    １４：左構成部    １６：右構成部    ２２：左構成部    ２４：右構成部    ２６：基部    ２８：紐部    ３４：湾曲部    ３６：第１傾斜部    ３８：第２傾斜部    ４２：凹部    ４４：突出片    ５０：眼鏡    ５２：パッド    ５４：レンズ    ５６：枠    ６２：突出片    ６４：押付部    ６６：クッション材    ６８：クッション材    ７０：Ｔ字の脚部の下端に相当する部分    ７２：Ｔ字の両腕部に相当する部分    ８２：弾性板    ８４：小孔    ８８：突出片    ９０：押付部材    ９４：押付部    ９６：連結部    ９８：ブリッジ    １００：取付部    １０４：脚部    １０６：パッド足    １１０：押付部材    １１２：押付部    １１４：本体部    １１６：第１係合部    １１８：第２係合部    １２０：第３係合部    １２２：パッド箱    １２４：端部（パッド足の）    １２６：湾曲部
【図１】
2008279101.tif 000003
【図２】
2008279101.tif 000004
【図３】
2008279101.tif 000005
【図４】
2008279101.tif 000006
【図５】
2008279101.tif 000007
【図６】
2008279101.tif 000008
【図７】
2008279101.tif 000009
【図８】
2008279101.tif 000010
【図９】
2008279101.tif 000011
【図１０】
2008279101.tif 000012
【図１１】
2008279101.tif 000013
【図１２】
2008279101.tif 000014
【図１３】
2008279101.tif 000015
【図１４】
2008279101.tif 000016
【図１５】
2008279101.tif 000017
【図１６】
2008279101.tif 000018